(57)【要約】【課題】補正された時刻（正確な時刻）に基づいて、正確な撮影時刻補正を行なうことが可能な時刻補正システムを提供する。【解決手段】外部からの電波信号を用いて補正した時刻を示す特殊表示を表示する表示装置１０と、その特殊表示を撮影し、且つ、撮影された画像に撮像装置の現在時刻（撮影時刻）を対応付けて記憶させる撮像装置２０と、その撮影された画像から特殊表示が示す時刻を読み出し、読み出した時刻に基づいて、画像に対応付けられた撮影時刻を補正する補正装置３０とから構成する。【選択図】図１
2012117869.tif 000002
【特許請求の範囲】
【請求項１】
外部から時刻情報を受信する受信部と、表示部と、前記時刻情報に基づいて時刻補正される計時部と、前記計時部が時刻補正されてからの時間に基づき前記計時部の時刻の信頼性を判定し、前記信頼性が高い場合、前記計時部の時刻を示す特殊表示を前記表示部に表示する制御部と、を備えた表示装置と、
撮像部と、現在時刻を計測する第２の計時部と、前記撮像部が撮像した撮像画像に前記撮像部が撮像したときの撮影時刻として前記第２の計時部より計測された現在時刻を対応付けて記憶する記憶部と、を備える撮像装置と、
前記撮影画像及び当該撮影画像に対応付けられた撮影時刻を記憶する第２の記憶部と、前記特殊表示を含む撮影画像に対応付けられた撮影時刻と当該特殊表示が示す時刻との差分に基づき前記第２の記憶部に記憶された撮像時刻を補正する第２の制御部と、を備えた補正装置と、
からなることを特徴とする時刻補正システム。
【請求項２】
前記補正装置は、前記表示装置あるいは前記撮像装置と一体的に構成されていることを特徴とする請求項１に記載の時刻補正システム。
【請求項３】
外部から時刻情報を受信する受信部と、
表示部と、
前記時刻情報に基づいて時刻補正される計時部と、
前記計時部が時刻補正されてからの時間に基づき前記計時部の時刻の信頼性を判定し、前記信頼性が高い場合、前記計時部の時刻を示す特殊表示を前記表示部に表示する制御部と、
撮像時刻が対応付けられた撮像画像を受信する第２の受信部と、を備え、
前記制御部は、前記特殊表示を含む撮影画像に対応付けられた撮影時刻と当該特殊表示が示す時刻との差分に基づき前記第２の受信部が受信した撮影画像に対応付けられた撮像時刻を補正することを特徴とする表示装置。
【請求項４】
撮像部と、
現在時刻を計測する計時部と、
前記撮像部が撮像した撮像画像に前記撮像部が撮像したときの撮像時刻として前記計時部より計測された現在時刻を対応付けて記憶する記憶部と、
外部から受信した時刻情報に基づいて補正された計時部の時刻の信頼性が高い場合に表示される特殊表示を含む撮影画像に対応付けられた撮影時刻と当該特殊表示が示す時刻との差分に基づき前記記憶部に記憶された撮像時刻を補正する制御部と、
を備えることを特徴とする撮像装置。
【発明の詳細な説明】
【技術分野】
【０００１】
本発明は、撮影された画像に対応付けられた時刻を正確に補正する時刻補正システムに関するものである。
【背景技術】
【０００２】
一般に、デジタルカメラなどの電子機器には時計回路が備えられており、この時計回路に基づく現在時刻は、撮影した画像の撮影時刻を示すタイムスタンプとして利用されている。このタイムスタンプを用いることによって撮影の後日に撮影画像を確認する際に、撮影した時点の時刻（撮影時刻）を把握することが可能となる。
【０００３】
ところで、デジタルカメラに設けられた時計回路に基づく現在時刻は、経時的にかつ不可避的に誤差が生じてしまうため、撮影した画像に対応付けられた時刻（タイムスタンプ）が正確でない場合が発生してしまうことが知られている。このため、より正確なタイムスタンプを画像とともに記録できる技術が様々に提案されている。
【０００４】
例えば、下記特許文献１（特開２００１？１９７３４２号公報）に開示された撮像装置では、撮影された画像データより時刻情報を認識し、この時刻情報に基づいてタイムスタンプデータを修正することが示されている。
【先行技術文献】
【特許文献】
【０００５】
【特許文献１】特開２００１？１９７３４２号公報
【発明の概要】
【発明が解決しようとする課題】
【０００６】
しかしながら、上記特許文献１に開示された撮像装置は、撮影された画像データより時刻情報を認識しているが、認識方法としては、撮影された画像に写っている時計がアナログ表示であれば、１２時方向を基準として短針、長針の角度を認識する、また、デジタル表示であれば、所定長のデジタル数字列を認識処理している。
【０００７】
しかるに、アナログ表示やデジタル表示は、一般的に用いられている時刻の表示形態である。このため、一般的に用いられている時刻の表示形態を認識した場合、正確でない時刻を含む（正確でない時刻が写った）撮影画像から時刻を認識してしまう恐れがある。この場合、正確でない時刻に基づいてタイムスタンプデータを修正してしまうため、結果的に、タイムスタンプデータを正確な時間に修正することが不可能である。
【０００８】
また、上記特許文献１には、撮影された画像より認識した時刻をユーザが微調整することも開示されているが、微調整するためには、撮影された画像に写っている時刻がどの程度ずれているのかを認識しなければならず、その上、そのズレを入力しなければならないという手間も生じてしまう。
【０００９】
本発明は、上記の問題点を解消することを課題とするものであり、外部からの時刻情報を用いて補正した時刻を示す特殊表示の表示を行ない、その特殊表示を撮影し、その撮影した画像から時刻を読み出し、読み出した時刻に基づいて、撮影した画像に対応付けて記憶された撮影時刻を補正することができる時刻補正システムを提供することを目的とするものである。
【課題を解決するための手段】
【００１０】
前記課題を解決するために、本願の請求項１にかかる発明は、外部から時刻情報を受信する受信部と、表示部と、前記時刻情報に基づいて時刻補正される計時部と、前記計時部が時刻補正されてからの時間に基づき前記計時部の時刻の信頼性を判定し、前記信頼性が高い場合、前記計時部の時刻を示す特殊表示を前記表示部に表示する制御部と、を備えた表示装置と、撮像部と、現在時刻を計測する第２の計時部と、前記撮像部が撮像した撮像画像に前記撮像部が撮像したときの撮影時刻として前記第２の計時部より計測された現在時刻を対応付けて記憶する記憶部と、を備える撮像装置と、前記撮影画像及び当該撮影画像に対応付けられた撮影時刻を記憶する第２の記憶部と、前記特殊表示を含む撮影画像に対応付けられた撮影時刻と当該特殊表示が示す時刻との差分に基づき前記第２の記憶部に記憶された撮像時刻を補正する第２の制御部と、を備えた補正装置と、からなることを特徴とする。
【００１１】
また、本願の請求項２にかかる発明は、請求項１にかかる発明において、前記補正装置は、前記表示装置あるいは前記撮像装置と一体的に構成されていることを特徴とする。
【００１２】
また、本願の請求項３にかかる発明は、外部から時刻情報を受信する受信部と、表示部と、前記時刻情報に基づいて時刻補正される計時部と、前記計時部が時刻補正されてからの時間に基づき前記計時部の時刻の信頼性を判定し、前記信頼性が高い場合、前記計時部の時刻を示す特殊表示を前記表示部に表示する制御部と、撮像時刻が対応付けられた撮像画像を受信する第２の受信部と、を備え、前記制御部は、前記特殊表示を含む撮影画像に対応付けられた撮影時刻と当該特殊表示が示す時刻との差分に基づき前記第２の受信部が受信した撮影画像に対応付けられた撮像時刻を補正することを特徴とする。
【００１３】
また、本願の請求項４にかかる発明は、撮像部と、現在時刻を計測する計時部と、前記撮像部が撮像した撮像画像に前記撮像部が撮像したときの撮像時刻として前記計時部より計測された現在時刻を対応付けて記憶する記憶部と、外部から受信した時刻情報に基づいて補正された計時部の時刻の信頼性が高い場合に表示される特殊表示を含む撮影画像に対応付けられた撮影時刻と当該特殊表示が示す時刻との差分に基づき前記記憶部に記憶された撮像時刻を補正する制御部と、を備えることを特徴とする。
【発明の効果】
【００１４】
請求項１にかかる発明においては、外部からの時刻情報を用いて補正した時刻を示す特殊表示を表示する表示装置と、撮影された画像に撮像装置の現在時刻（撮影時刻）を対応付けて記憶させる撮像装置と、その撮影された画像から特殊表示で表示された時刻を読み出し、読み出した時刻と当該特殊表示を含む撮影画像に対応付けられた撮影時刻との差分に基づいて、撮影時刻を補正する補正装置とから構成する。
【００１５】
このような構成によれば、特殊表示が示す時刻（補正された正確な時刻）に基づいて、撮影時刻が補正されるため、正確な撮影時刻補正を行なうことが可能となる。
【００１６】
請求項２にかかる発明においては、請求項１にかかる発明において、前記補正装置は、前記表示装置あるいは前記撮像装置と一体的に構成される。これにより、個別に補正装置を設けることなく、表示装置あるいは撮像装置において、特殊表示が示す時刻（補正された正確な時刻）に基づく正確な撮影時刻補正を行なうことが可能となる。
【００１７】
請求項３にかかる発明においては、外部からの時刻情報を用いて補正した時刻を示す特殊表示を表示する表示装置において、撮像時刻が対応付けられた撮像画像を受信し、その撮像画像に含まれる特殊表示が示す時刻と当該特殊表示を含む撮影画像に対応付けられた撮影時刻との差分に基づき受信した撮像時刻を補正する。これにより、表示装置において、特殊表示が示す時刻（補正された正確な時刻）に基づく正確な撮影時刻補正を行なうことが可能となる。
【００１８】
請求項４にかかる発明においては、撮像装置において、撮像した撮像画像に含まれる特殊表示（外部から受信した時刻情報に基づいて補正された計時部の時刻の信頼性が高い場合に表示される特殊表示）が示す時刻と当該特殊表示を含む撮影画像に対応付けられた撮影時刻との差分に基づき撮像時刻を補正する。これにより、撮像装置において、特殊表示が示す時刻（補正された正確な時刻）に基づく正確な撮影時刻補正を行なうことが可能となる。
【図面の簡単な説明】
【００１９】
【図１】本発明の実施例にかかる時刻補正システムの全体構成を示すブロック図である。
【図２】本発明の実施例にかかる表示装置の要部構成を示すブロック図である。
【図３】本発明の実施例にかかる表示装置の処理手順を示すフローチャートである。
【図４】本実施の実施例にかかる表示装置の表示形態を説明するための図である。
【図５】本発明の他の実施例にかかる表示装置の要部構成を示すブロック図である。
【図６】本発明の実施例にかかる撮像装置の要部構成を示すブロック図である。
【図７】本発明の実施例にかかる撮像装置の処理手順を示すフローチャートである。
【図８】本発明の実施例にかかる補正装置の要部構成を示すブロック図である。
【図９】本発明の実施例にかかる補正装置の処理手順を示すフローチャートである。
【図１０】本発明の実施例にかかる時刻補正システムの動作手順示すシーケンス図である。
【発明を実施するための形態】
【００２０】
以下、本発明の具体例を実施例及び図面を用いて詳細に説明する。但し、以下に示す実施形態は、本発明の技術的思想を具体化するための時刻補正システムを例示するものであって、本発明をこの時刻補正システムに特定することを意図するものではなく、特許請求の範囲に含まれるその他の実施形態の装置にも等しく適応し得るものである。
【実施例１】
【００２１】
図１は、本発明の実施例にかかる時刻補正システム１の全体構成を示すブロック図である。時刻補正システム１は、表示装置１０と、被写体とともに表示装置１０を撮影する撮像装置２０と、無線通信機能を介してこの撮像装置２０と接続される補正装置３０を有してなる。なお、撮像装置２０と補正装置３０との間の通信方式は無線通信でも有線通信でもよく、記憶媒体（ＳＤなど）にデータを記憶し、ユーザが他の装置（補正装置３０／表示装置１０）に移してもよい。
【００２２】
図２は、本発明の実施例にかかる表示装置１０の要部構成を示すブロック図である。表示装置１０は、制御部１１、ＧＰＳ受信機１２、時刻記憶部１３、表示部１４、画像データ記憶部１５を備えて構成される。
【００２３】
制御部１１は、ＣＰＵ１１ａ、ＲＯＭ１１ｂおよびＲＡＭ１１ｃを備えて構成されており、ＲＯＭ１１ｂおよび／またはＲＡＭ１１ｃに記憶された制御プログラムをＣＰＵ１１ａが実行することにより、下記に説明する各部の動作を制御・統括する。また、制御部１１は、計時部１２ｂが時刻補正されてからの時間に基づき計時部１２ｂの時刻の信頼性を判定し、当該信頼性が高い場合、計時部１２ｂの時刻を示す特殊表示を表示部１４に表示させる表示制御手段として機能する。
【００２４】
ＧＰＳ受信機１２は、受信部１２ａ、計時部１２ｂ、演算部１２ｃおよびアンテナ１２ｄを備えて構成されている。受信部１２ａは、アンテナ１２ｄを介して時刻情報を含む電波信号を受信し、復調・増幅するための増幅器やＡ／Ｄコンバータなどを備えており、本実施例における表示装置１０においてＧＰＳ受信機１２は、地球上空を周回している複数（例えば４つ）のＧＰＳ衛星からの時刻情報を含む電波信号を所定の時間間隔で受信するためのものである。
【００２５】
計時部１２ｂは、時刻を計時するものであり、一般的な水晶発振器を用いた時計（クオーツ時計）で構成されている。計時部１２ｂによって計時される時刻は経時とともに誤差を生じる可能性があるため、演算部１２ｃにより補正される。
【００２６】
演算部１２ｃは、受信部１２ａにより受信された電波信号に含まれている時刻情報に基づき、ＧＰＳ衛星の原子時計と内蔵時計（計時部１２ｂ）との時刻差（時刻誤差）を算出し、この時刻差に基づき計時部１２ｂを補正する。なお、計時部１２ｂが電子時計であれば、受信した時刻情報の時刻に計時部１２ｂを補正する。
【００２７】
ＧＰＳ衛星の電波信号に基づいて時刻補正を行なう方法には、次の二つが考えられる。一つの方法は、４つ以上のＧＰＳ衛星から受信した電波信号に含まれる時刻情報に基づいて計時部１２ｂを補正する。この場合、４つ以上のＧＰＳ衛星から電波信号を受信できなければ時刻補正が行えないが、正確な時刻に補正することができる（例えば特開平８？１５４６３号参照）。もう一つの方法は、少なくとも１つのＧＰＳ衛星から受信した電波信号に含まれる時刻情報に基づいて計時部１２ｂを補正する。すなわち、受信した時刻情報が示す時刻に計時部１２ｂを補正する。この場合、１つのＧＰＳ衛星のみで時刻補正が行なえるので、計時部１２ｂの時刻が大きくずれているときは有効だが、ＧＰＳ衛星から受信した時刻には送信時間分のずれが生じているため、誤った時刻に補正される可能性がある。
【００２８】
このため、ＧＰＳ衛星からの電波信号を用いた時刻補正は、基本的に４つ以上のＧＰＳ衛星からの電波信号を用いて行なわれているので、以下の説明においては、４つのＧＰＳ衛星からの電波信号を用いて計時部１２ｂの補正を行なう場合について説明する。
【００２９】
計時部１２ｂにおける時刻は、定期的に、例えば１秒毎に制御部１１へ出力される。ここで、受信部１２ａにより４つのＧＰＳ衛星からの電波信号が受信できれば、演算部１２ｃにより補正された直後の時刻が正確な時刻として制御部１１へ出力され、長期間４つのＧＰＳ衛星からの電波信号が受信できないときは、かなり前に補正された計時部１２ｂの正確ではない時刻が制御部１１へ出力されることになる。ここで、制御部１１へ時刻が出力される際に、当該時刻が補正した直後の時刻か否かを示す識別情報も含めてもよい。
【００３０】
また、ＧＰＳ受信機１２は、時刻を制御部１１へ出力する際に、受信部１２ａが現在何個のＧＰＳ衛星から電波信号を受信しているかを示す情報（受信レベル情報）も制御部１１へ出力する。制御部１１は、ＧＰＳ受信機１２から定期的に出力された計時部１２ｂの時刻とともに受信した受信レベル情報に基づいて、４つのＧＰＳ衛星から電波信号を受信しているときの時刻をＧＰＳ受信機１２から受信すると、その時刻を時刻記憶部１３に記憶させる。
【００３１】
時刻記憶部１３は、時間計測のためのものであり、例えば、４つのＧＰＳ衛星から電波信号を受信したときの時刻（計時部１２ｂの時刻）を記憶しておく。制御部１１は、ＧＰＳ受信機１２から定期的に出力される計時部１２ｂの時刻（すなわち、現在時刻）と、時刻記憶部１３に記憶されている時刻を比較することで、最後に４つのＧＰＳ衛星から電波信号を受信したときからの時間を算出する。
【００３２】
この算出された時間は、計時部１２ｂの時刻補正を行ってから経過した時間に相当するため、制御部１１は、この経過時間Ｘが所定時間に達していないと、計時部１２ｂの時刻の信頼性が高いと判定してＧＰＳ受信機１２から定期的に出力された計時部１２ｂの時刻を示す特殊表示を表示部１４に表示させる。一方、この経過時間Ｘが所定時間以上になると、計時部１２ｂの時刻の信頼性が低くなったと判定してＧＰＳ受信機１２から定期的に出力された計時部１２ｂの時刻を表示部１４に表示する際に、表示時刻の信頼性が低下していることをユーザが視認できる表示態様に変更して表示させる。すなわち、計時部１２ｂの時刻を示す特殊表示を行なわない。
【００３３】
なお、所定時間は、時刻補正しない場合において計時部１２ｂの時刻が誤差を生ずる時間であることが好ましく、計時部１２ｂの精度に応じて所定時間は変更されてもよい。
【００３４】
また、経過時間Ｘが所定時間以上になる場合としては、表示装置１０を長期間家庭内（建物内）のみで使用したため、電波信号が建物で遮断されＧＰＳ衛星からの電波信号を受信できない場合や、長期間表示装置１０の電源をＯＦＦしていたため（ＧＰＳ受信機２０に電源供給がなされないため）、ＧＰＳ衛星からの電波信号を受信できない場合がある。（但し、電源ＯＦＦ時もバックアップ電源により計時部１２ｂによる時刻の計測は行なわれている）
表示部１４は、ＧＰＳ受信機１２から定期的に出力された計時部１２ｂの時刻を表示し、撮影装置２０による被写体撮影時には、現在時刻（計時部１２ｂの時刻）を示す特殊表示を表示する液晶表示パネルから構成される。
【００３５】
制御部１１は、最後に４つのＧＰＳ衛星から電波信号を受信したときの時刻と現在時刻とから算出された経過時間Ｘが所定時間に達していない場合には、ＧＰＳ受信機１２から定期的に出力された計時部１２ｂの現在時刻を表示部１４に表示する際に、表示時刻の信頼性が高いことをユーザが視認できる特殊表示として、例えば、現在時刻に『ＧＰＳ』という文字を付加情報として合わせて表示させる。一方、算出された経過時間Ｘが所定時間以上の場合には、ＧＰＳ受信機１２から定期的に出力された計時部１２ｂの時刻を表示部１４に表示する際に、表示時刻の信頼性が低下していることをユーザが視認できるように、例えば、現在時刻を通常の黒文字から赤文字に変更して表示させる。なお、本実施例では、経過時間Ｘが所定時間以上の場合、すなわち、表示時刻（計時部１２ｂの時刻）の信頼性が低下している場合においても、表示時刻の信頼性が低下していることをユーザが視認できるように表示させる例（例えば文字色の変更）を記載するが、表示時刻（計時部１２ｂの時刻）の信頼性が低下している場合には、文字色の変更などを行わなくてもよい。
【００３６】
画像データ記憶部１５は、表示部１４に表示される現在時刻を示す特殊表示を表示する際に用いられる付加情報、例えば、『ＧＰＳ』、といった文字データ、時刻情報（計時部１２ｂの時刻）を符号化した２次元バーコード、囲い線や下線といった図形データを記憶するためのものである。また、ゴシック文字といった文字の種類ごとのフォントデータを記憶してもよい。
【００３７】
次に、以上のように構成される表示装置１０の時刻表示処理について、図３のフローチャートおよび図４の説明図を用いて説明する。
【００３８】
まず、ＧＰＳ受信機１２の演算部１２ｃは、受信部１２ａによりＧＰＳ衛星からの電波信号を受信できたか否かを判定する（ステップＳ１１）。受信部１２ａにより４つのＧＰＳ衛星からの電波信号を受信できたと判定された場合（ステップＳ１１、ＹＥＳ）、演算部１２ｃは、４つのＧＰＳ衛星から受信した電波信号に含まれる時刻情報に基づいて計時部１２ｂの時刻を補正する（ステップＳ１２）。
【００３９】
ステップＳ１２に続いて、ＧＰＳ受信機１２は、計時部１２ｂにおける時刻と受信部１２ａが現在何個のＧＰＳ衛星から電波信号を受信しているかを示す受信レベル情報を、１秒毎に制御部１１へ出力するので、ステップＳ１２において演算部１２ｃにより補正された直後の時刻が制御部１１へ出力される。制御部１１は、受信した受信レベル情報に基づいて、計時部１２ｂの時刻が４つのＧＰＳ衛星から電波信号を受信したときの時刻であると判別し、その時刻を時刻記憶部１３に記憶させることで経過時間Ｘの測定を開始する（ステップＳ１３）。
【００４０】
そして、制御部１１は、受信した計時部１２ｂの現在時刻の信頼性が高いため、特殊表示を表示部１４に表示させ（ステップＳ１４）、処理を終了する。ここで、特殊表示とは、図４（ａ１）に示すように、現在時刻『０８：３０』の下に『ＧＰＳ』という文字を合わせて表示させる。また、図３（ａ２）に示すように、現在時刻『０８：３０』とともに、現在時刻の情報を符号化した２次元バーコードを表示させてもよい。さらに、現在時刻の情報を符号化した２次元バーコードのみを表示させてもよい。
【００４１】
一方、ステップＳ１１において、受信部１２ａにより４つ以上のＧＰＳ衛星からの電波信号を受信できていないと判定された場合（ステップＳ１１、ＮＯ）、制御部１１は、ＧＰＳ受信機１２から定期的に出力される計時部１２ｂの時刻（すなわち、現在時刻）と、時刻記憶部１３に記憶されている時刻を比較することで、計時部１２ｂの時刻補正を行ってからの経過時間Ｘが所定時間以上になったか否かを判定する（ステップＳ１５）。
【００４２】
経過時間Ｘが所定時間以上になったと判定された場合（ステップＳ１５、ＹＥＳ）、制御部１１は、計時部１２ｂの時刻の信頼性が低くなったと判定してＧＰＳ受信機１２から定期的に出力された計時部１２ｂの現在時刻を表示部１４に表示する際に、表示時刻の信頼性が低下していることをユーザが視認できる表示態様に変更して表示させ（ステップＳ１６）、処理を終了する。ここでの表示態様は、図３（ｂ１）に示すように、現在時刻『０８：３０』を通常の黒文字とは異なる色の文字（図面では網目文字で表現）に変更して表示させる。また、図３（ｂ２）に示すように、現在時刻『０８：３０』にした下線を表示させたり、図３（ｂ３）に示すように、現在時刻『０８：３０』の下に『非時刻補正』という文字を合わせて表示させたりしてもよい。
【００４３】
一方、ステップＳ１５において、経過時間Ｘが所定時間以上に達していないと判定された場合（ステップＳ１５、ＮＯ）、制御部１１は、受信した計時部１２ｂの現在時刻を示す特殊表示のままで表示部１４表示させてステップＳ１４へ進む。
【００４４】
なお、計時部１２ｂの時刻を示す特殊表示は、時間の経過とともに変化する。すなわち、特殊表示とは、計時部１２ｂの時刻を示しているため、計時部１２ｂの時刻が変われば（新たにＧＰＳ受信機１２から計時部１２ｂの時刻が出力されれば）、その時刻を示す特殊表示が表示される。例えば、特殊表示が時刻の情報を符号化した２次元バーコードであって、計時部１２ｂの時刻が１秒毎に出力される場合であれば、表示する２次元バーコードは１秒毎に変化する。また、特殊表示が、現在時刻の文字列『０８：３０』の下に『ＧＰＳ』という文字を合わせて表示させる場合であれば、現在時刻の文字列が出力された計時部１２ｂの時刻に応じて変化する。
【００４５】
なお、上記実施例では、ＧＰＳ受信機１２から定期的に出力された計時部１２ｂの時刻が補正された時刻であると判定する一例として、ＧＰＳ受信機１２から計時部１２ｂの時刻とともに出力される受信レベル情報に基づき、４つのＧＰＳ衛星から電波信号を受信しているときの時刻を補正された時刻と判定する場合について説明したが、本発明はこれに限らず、ＧＰＳ受信機１２から定期的に出力された計時部１２ｂの時刻とともに時刻補正を行なったことを示す識別情報を受信できる場合は、制御部１１は、その識別情報を受信したときの時刻を補正された時刻と判定し、時刻記憶部１３に記憶させるようにしてもよい。
【００４６】
また、表示装置１０内（但し、ＧＰＳ受信機１２の外部）にもう１つ時計を設け、その時計をＧＰＳ受信機１２から出力される時刻に補正するように構成してもよい。この場合、制御部１１は、表示装置１０内の時計とＧＰＳ受信機１２から出力される時刻とが大きく異なる場合に時刻補正がなされたと判定し、そのときの時刻を時刻記憶部１３に記憶すればよい。
【００４７】
さらに、上記実施例で説明したようなＧＰＳ衛星からの電波信号に限らず、電波時計の電波信号に基づいて時刻補正を行なってもよい。この場合には、独立行政法人情報通信研究機構の日本標準時グループが管理運営を行なっている標準電波信号に含まれる時刻に計時部１２ｂを合わせればよい。
【００４８】
図５は、本発明の他の実施例にかかる表示装置１０’の要部構成を示す図であり、電波時計の電波信号に基づいて時刻補正を行なうものである。図５に示す表示装置１０’において、図１の表示装置１０と異なる点は、図１の受信部１２ａ、制御部１１に代わりに受信部１２ａ’、制御部１１’をそれぞれ備えた点である。受信部１２ａ’ 、制御部１１’を除いた、その他の各構成要素は、図１に示す表示装置１０の構成と同様であり、同一の構成要素には同一の参照符号を付し、その説明は重複するため省略する。
【００４９】
受信部１２ａ’は、アンテナ１２ｄを介して電波時計の電波信号を受信し、復調・増幅するための増幅器やＡ／Ｄコンバータなどを備えている。
【００５０】
制御部１１’は、受信部１２ａ’により受信された電波信号に含まれている時刻情報に基づき、計時部１２ｂを補正し、補正した時刻を時刻記憶部１３に記憶させる。そして、制御部１１’は、計時部１２ｂの時刻と、時刻記憶部１３に記憶されている時刻を比較することで、最後に計時部１２ｂが補正されたときからの経過時間Ｘを算出する。
【００５１】
さらに、制御部１１’は、経過時間Ｘが所定時間に達していないと、計時部１２ｂの時刻の信頼性が高いと判定して計時部１２ｂの時刻を示す特殊表示を表示部１４に表示させる。一方、経過時間Ｘが所定時間以上になると、計時部１２ｂの時刻の信頼性が低くなったと判定して計時部１２ｂの時刻を表示部１４に表示する際に、表示時刻の信頼性が低下していることをユーザが視認できる表示態様に変更して表示させる。
【００５２】
さらに、上記実施例では、ＧＰＳ衛星、又は、おおたかどや山標準電波送信所、はがね山標準電波送信所（日本の標準時刻送信所）から送信された電波信号は、鉄筋等の建物内や、ノイズの発生源が近くにある場合、受信することが困難となり、正確な時刻補正を行なうことができない。このため、外部からの時刻情報の受信は、有線あるいは無線を介してインターネットから行なってもよい。
【００５３】
次に、撮像装置２０の構成および動作について説明する。図６は、本発明の実施例にかかる撮像装置２０の要部構成を示すブロック図である。撮像装置２０は、制御部２１、撮像部２２、計時部２３、撮像データ記憶部２４、通信Ｉ／Ｆ２５を備えて構成される。
【００５４】
制御部２１は、内部に記憶された制御プログラムを実行することにより、下記に説明する各部の動作を制御・統括する。
【００５５】
撮像部２２は、画像撮像素子としてＣＣＤを用いたＣＣＤカメラであり、ＣＣＤは撮影レンズユニットにより結像された被写体の光像（光学情報）をＲ（赤）・Ｇ（緑）・Ｂ（青）の色成分の画像データに光電変換して出力する。なおＣＣＤは、タイミングジェネレーターにより駆動されることにより、例えば絞りや露光時間の制御等が行われる。撮像部２２により得られた撮影画像は、撮像データ記憶部２４に記録される。
【００５６】
計時部２３は、時刻を計時するものであり、一般的な水晶発振器を用いた時計（クオーツ時計）で構成されている。計時部２３によって計時される時刻は撮影時刻として撮影画像と対応付けて撮像データ記憶部２４に記録される。
【００５７】
撮像データ記憶部２４は、撮像部２２により撮影された撮影画像と計時部２３により計時された撮影時刻（現在時刻）とを対応付けて記憶するものである。
【００５８】
通信Ｉ／Ｆ２５は、撮像データ記憶部２４に記憶された撮影画像と撮影時刻とを含む画像データを補正装置３０との間での通信を行なうインタフェースである。
【００５９】
次に、以上のように構成される撮像装置２０の撮影処理について、図７のフローチャートを用いて説明する。
【００６０】
まず、撮像部２２は、制御部２１の制御により、ユーザからの撮影指示があると被写体の撮影を行なう（ステップＳ２１）。本実施例においては、表示装置１０の表示部１４に特殊表示された現在時刻（図４参照）を撮影する。
【００６１】
制御部２１は、ステップＳ２１において撮影された撮影画像と、計時部２３において計時された現在時刻（撮影時刻）とを対応付けて撮像データ記憶部２４に記憶させ（ステップＳ２２）、処理を終了する。
【００６２】
次に、補正装置３０の構成および動作について説明する。図８は、本発明の実施例にかかる補正装置３０の要部構成を示すブロック図である。補正装置３０は、制御部３１、画像データ記憶部３２、通信Ｉ／Ｆ３３を備えて構成される。
【００６３】
制御部３１は、内部に記憶された制御プログラムを実行することにより、下記に説明する各部の動作を制御・統括する。また、制御部３１は、撮影画像に含まれる特殊表示を認識し、認識結果に基づいて撮影画像の撮影時刻を補正する補正手段として機能する。
【００６４】
画像データ記憶部３２は、撮影画像に含まれる特殊表示を認識処理するためのテンプレートを記憶するためのものである。このテンプレートは、表示装置１０の画像データ記憶部１５に記憶された付加情報、例えば、『ＧＰＳ』、といった文字データ、時刻情報を符号化した２次元バーコード、囲い線や下線といった図形データに対応するものである。
【００６５】
制御部３１は、このテンプレートを用いてパターンマッチング処理等を行なうことにより特殊表示を認識する。例えば、特殊表示が現在時刻の文字列『０８：３０』の下に『ＧＰＳ』という文字を合わせて表示させる場合であれば、テンプレート『ＧＰＳ』を用いて『ＧＰＳ』という文字が撮影画像に含まれている撮影画像を特定し、『ＧＰＳ』という文字の上（所定範囲上）にある文字列『０８：３０』を認識することで、特殊表示が示す時刻（８時３０分）を特定する。
【００６６】
通信Ｉ／Ｆ３３は、撮像装置２０との間での通信を行ない、撮像装置２０の撮像データ記憶部２４に記憶された撮影画像と撮影時刻とを含む画像データを取得するためのインタフェースである。
【００６７】
なお、補正装置３０は、記憶部（図示せず）を備えており、通信Ｉ／Ｆ３３を介して取得した画像データ（撮影画像及び撮影時刻を含む）を記憶する。なお、この記憶部は、補正装置３０に取り付け取り外し可能であってもよい。すなわち、ＳＤなどの半導体メモリで構成されてもよい。
【００６８】
次に、以上のように構成される補正装置３０の補正処理について、図９のフローチャートを用いて説明する。
【００６９】
まず、制御部３１は、画像データ記憶部３２に記憶されたテンプレートを用いて、通信Ｉ／Ｆ３３を介して撮像装置２０から取得した画像データに含まれる撮影画像から特殊表示を認識する（ステップＳ３１）。次に、制御部３１は、ステップＳ３１において認識した特殊表示が示す時刻と、撮像装置２０から取得した当該特殊表示を含む撮影画像に対応付けられた撮影時刻との差分を算出する（ステップＳ３２）。
【００７０】
そして、制御部３１は、ステップＳ３２において算出した差分に基づき、記憶部（図示せず）に記憶された撮影画像のうち時刻補正を行なっていない撮影画像の撮影時刻を補正し（ステップＳ３３）、補正した撮影時刻と当該撮影時刻に対応付けられた撮影画像を含む画像データに補正済みのフラグを立てて（ステップＳ３４）、処理を終了する。
【００７１】
なお、撮影時刻を補正した撮影画像のデータと補正済みフラグは、通信Ｉ／Ｆ３３を介して撮像装置２０へ送信し、撮像装置２０の撮像データ記憶部２５へ再び記憶させてもよいし、補正装置３０内の補正画像データ記憶部（図示せず）に記憶させてもよい。
【００７２】
なお、画像データに補正済みのフラグを立てる理由について、説明を行なう。
【００７３】
すなわち、ステップＳ３２において算出した差分に基づいて、記憶部（図示せず）に記憶された他の画像データ（特殊表示を含む撮影画像（撮影画像に特殊表示が写っている撮影画像）を含まない画像データ、すなわち、ユーザが撮影したい被写体や風景などが撮影画像に含まれる画像データ）に含まれる撮影時刻を時刻補正する際（例えば、差分が２０分であれば、撮影時刻を２０分ずらす補正）に、通信Ｉ／Ｆ３３を介して特殊表示を含む撮影画像（撮影画像に特殊表示が写っている撮影画像）を含む画像データを取得するたびに、全ての画像データに含まれる時刻補正を行なってしまうと、例えば、１度時刻補正した撮影時刻を再度時刻補正してしまう恐れがある。例えば、撮影時刻を２０分ずらす補正をした（正確な時刻に補正した）後に、再度、撮影時刻を２０分ずらす補正をしてしまい、撮影時刻が正確でなくなってしまう。
【００７４】
そのため、一度補正した撮影時刻を含む画像データに補正済みフラグを立てておけば、次回、通信Ｉ／Ｆ３３を介して特殊表示を含む撮影画像（撮影画像に特殊表示が写っている撮影画像）を含む画像データを取得して時刻補正する場合おいて、補正済みフラグが立っていない画像データのみを補正することが可能となる。
【００７５】
次に、以上のように構成される時刻補正システム１の動作手順について。図１０のシーケンス図を用いて説明する。
【００７６】
まず、表示装置１０において、ＧＰＳ衛星からの電波信号を受信する（シーケンスＳＱ０１）と、電波信号に含まれる時刻情報に基づいて計時部１２ｂの時刻を補正する（シーケンスＳＱ０２）。そして、撮像装置２０による被写体の撮影に際に、表示部１４に現在時刻を示す特殊表示を表示する（シーケンスＳＱ０３２）。なお、計時部１２ｂの時刻の信頼性が高い場合は、常に表示部１４に特殊表示を表示しても良いが、これに限ることはなく、ユーザが時刻補正のために、特殊表示を撮影したい場合に、操作部（図示せず）を操作して、特殊表示の表示指示を行ってもよい。この場合においても、計時部１２ｂの時刻の信頼性が低ければ、表示部１４に特殊表示は表示されない。
【００７７】
続いて、撮像装置２０において、表示装置１０の表示部１４に特殊表示を撮影する（シーケンスＳＱ０４）と、撮影された撮影画像と、計時部２３において計時された現在時刻（撮影時刻）とを対応付けて撮像データ記憶部２４に記憶する（シーケンスＳＱ０５）。
【００７８】
そして、補正装置３０において、通信Ｉ／Ｆ３３を介して撮像装置２０から取得した撮影画像から特殊表示が示す時刻を認識する（（シーケンスＳＱ０６）と、時刻補正を行なっていない撮影画像の撮影時刻を、認識した時刻と特殊表示を含む撮影画像に対応付けられた撮影時刻との差分に基づいて撮影時刻を補正する（シーケンスＳＱ０７）。
【００７９】
以上説明したように、本発明の実施例にかかる時刻補正システムによれば、特殊表示が示す時刻（補正された正確な時刻）に基づいて、撮影画像に対応付けられた撮影時刻が補正されるため、正確な撮影時刻補正を行なうことが可能となる。
【００８０】
なお、上記実施例では、時刻補正システムの一例として、補正装置３０を表示装置１０や撮像装置２０とは個別に設けた場合について説明したが、本発明はこれに限らず、補正装置３０を表示装置１０あるいは撮像装置２０と一体的に構成してもよい。ここで、補正装置３０を表示装置１０と一体的に構成した場合には、表示装置１０の画像データ記憶部１５と補正装置３０の画像データ記憶部３２とが重複するため一方が不要となる。すなわち、表示装置１０が、通信Ｉ／Ｆ３３を備え、通信Ｉ／Ｆ３３を介して取得した画像データに含まれる撮影画像に特殊表示が含まれる場合、当該特殊表示が示す撮影時刻と当該特殊表示を含む撮影画像に対応付けられた撮影時刻との差分を算出し、当該差分に基づき通信Ｉ／Ｆ３３を介して取得した画像データに含まれる撮影時刻を補正する。
【００８１】
また、補正装置３０を撮像装置２０と一体的に構成した場合には、撮像装置２０と補正装置３０との通信に必要な通信Ｉ／Ｆ２５および通信Ｉ／Ｆ３３が不要となる。すなわち、撮像装置２０が、画像データ記憶部３２を備え、撮影した撮影画像に特殊表示が含まれる場合、当該特殊表示が示す撮影時刻と当該特殊表示を含む撮影画像に対応付けられた撮影時刻との差分を算出し、当該差分に基づき撮像データ記憶部２４に記憶された撮影時刻を補正する。
また、補正装置３０を撮像装置２０と一体的に構成した場合には、ステップＳ３２において算出した差分（特殊表示から認識した時刻と、当該特殊表示が含まれる撮影画像に対応付けられた撮影時刻との差分）に基づいて、撮像装置２０が備える計時部２３の時刻を補正することも可能である。
【符号の説明】
【００８２】
１・・・時刻補正システム
１０、１０’・・・表示装置
１１、１１’、２１、３１・・・制御部
１２・・・ＧＰＳ受信機
１２ａ、１２ａ’・・・受信部
１２ｂ、２３・・・計時部
１２ｃ’・・・演算部
１２ｄ・・・アンテナ
１２・・・時刻記憶部
１４・・・表示部
１５、３２・・・画像データ記憶部
２０・・・撮像装置
２２・・・撮像部
２４・・・撮像データ記憶部
２５、３３・・・通信Ｉ／Ｆ
３０・・・補正装置
【図１】
2012117869.tif 000003
【図２】
2012117869.tif 000004
【図３】
2012117869.tif 000005
【図４】
2012117869.tif 000006
【図５】
2012117869.tif 000007
【図６】
2012117869.tif 000008
【図７】
2012117869.tif 000009
【図８】
2012117869.tif 000010
【図９】
2012117869.tif 000011
【図１０】
2012117869.tif 000012